(57)【特許請求の範囲】
【請求項１】
下糸を巻回するボビンが収容される有底筒状に形成されたボビンケースと、
前記ボビンケースの周壁に設けられた糸孔を介して前記ボビンケースの外側に引き出される下糸を押圧して下糸に張力を付与する糸調子ばねと、
前記糸調子ばねの糸押圧部から離れた固定部を前記ボビンケースの周壁に螺着させる固定ねじとを有する下糸張力制御装置において、
前記糸調子ばねの糸押圧部を前記ボビンケースの外周面に押し付けるための磁性体により形成された可動な糸調子ばね押圧手段と、
前記ボビンケースに設けられ、前記糸調子ばね押圧手段の可動範囲を制限するストッパと、
前記ボビンケースの外側において前記糸調子ばね押圧手段と対向配置される電磁石とを有しており、
前記電磁石の磁力により前記糸調子ばね押圧手段を駆動させて前記糸調子ばねの糸押圧部を前記ボビンケースの外周面に押し付けるとともに、前記電磁石に通電する電流値を変化させることにより、前記糸調子ばねの糸押圧部が下糸を押圧する力を制御するように形成されており、
前記糸調子ばね押圧手段は、
前記ボビンケースの周壁の一部を形成する周壁部分代替部と、前記ボビンケースの周壁に連なる底壁の一部を形成する底壁部分代替部とにより断面Ｌ字状をなすように磁性体により形成された押圧本体と、
前記糸調子ばねの糸押圧部と固定部との中間部を介して前記押圧本体に螺着される調節ねじと、
前記ボビンケースに両端が取り付けられ、前記押圧本体の屈曲部分が挿通される支持軸とを有しており、
前記押圧本体は、前記支持軸を中心として可動に形成されていることを特徴とする下糸張力制御装置。
【請求項２】
前記電磁石が前記底壁部分代替部と対向配置されていることを特徴とする請求項１に記載の下糸張力制御装置。
【請求項３】
前記調節ねじが前記押圧本体に装着され、前記電磁石の磁力により前記押圧本体が回動して、前記糸調子ばねの糸押圧部が下糸を押圧する力を制御することを特徴とする請求項１に記載の下糸張力制御装置。
【発明の詳細な説明】
【技術分野】
【０００１】
本発明は、布地などの縫製を行うミシンのボビンケースから引き出される下糸の張力を制御するのに好適な下糸張力制御装置に関する。
【背景技術】
【０００２】
従来から、工業用ミシンなどのミシンには、縫い針を上下方向に往復移動させる針駆動機構と、ミシンフレームのベッド内において縫い針と協働して縫い目を形成する釜機構とが設けられている。そして、釜機構の釜は、回転駆動される外釜と、この外釜の内部に回転止めされた状態で保持される中釜と、この中釜に装着されるボビンケースとを備えており、ボビンケースには、下糸が巻回されたボビンが収容されている。なお、工業用ミシンには、釜として半回転釜が用いられる場合もあるが、一般的には釜駆動機構が簡単な垂直全回転釜を用いる場合が多い。
【０００３】
ところで、ボビンから引き出される下糸は、上糸（針糸）と比較して必要以上に引き出されても、また、必要量が引き出されなくても好ましくなく、縫製条件に応じて適切な量が供給されることが望ましい。
【０００４】
そこで、従来から、ボビンケースの外周面に糸調子ばね（板ばね）を取り付け、この糸調子ばねとボビンケースとの間に下糸を配置し、糸調子ばねで下糸を押圧することにより、下糸に一定の張力を付与するように構成されている。
【０００５】
このような糸調子ばねを下糸に押圧して下糸に所定の張力を付与する構成においては、糸調子ばねを締め付ける調節ねじの締め加減を調節することにより下糸の張力の調節が行われているが、縫製中は下糸の張力の調節を実行することができない。例えば、ミシンが、その縫製速度を変化しうるものである場合、下糸の張力を高速縫製あるいは低速縫製に対応するように設定すると、対応しない縫製速度のときに縫いむらが生じることになってしまう。
【０００６】
そこで、縫製中においてもボビンから引き出される下糸の張力を調節することのできる下糸張力制御装置が提案されている（例えば、特許文献１参照）。
【０００７】
特許文献１に記載の下糸張力制御装置は、ボビンケースの底部の内側と、これに対向するボビンの端面との間に、ボビンの端面に当接する皿ばねなどの弾性体と、この弾性体に隣接しスラスト方向（ボビンケースの軸線方向）に移動可能な環状の永久磁石とを備え、ボビンケースの外側にはこのボビンケースの底部に対向配置された電磁石を備えている。
【０００８】
このような構成からなる従来の下糸張力制御装置においては、ボビンケースの底部の外側に電磁石を接近させた状態で、電磁石のコイルに縫製速度に対応する電流を流して永久磁石と逆の極性に磁化させることで電磁石から縫製速度に対応する斥力を受けて永久磁石がスラスト方向（ボビンの端面に向かう方向）に移動する。そして、永久磁石が弾性体を介してボビンの端面を圧迫する結果、ボビンには縫製速度に対応する制動力である制動トルクが作用することとなり、下糸に所定の張力が付与されている。
【０００９】
つまり、釜の外部に設けられた電磁石に流す電流を制御することで、ボビンケースの内部に設けられた永久磁石に作用する斥力を調節して、ボビンの中釜に対する押圧力を増減することにより、ボビンと中釜の摩擦力を増減し、これによりボビンに制動トルクを作用させてボビンから繰り出される下糸に張力を付与するとともに、張力を制御するようになっている。
【００１０】
ここで、制動トルクは、ボビンの糸残り半径と、下糸の張力との積であらわすことができる。
【００１１】
【特許文献１】特開平０５−０６８７６４号公報（図１）
【発明の開示】
【発明が解決しようとする課題】
【００１２】
しかしながら、従来の下糸張力制御装置においては、制動トルクを制御するものであり、下糸の張力そのものを制御することができないという問題点があった。
【００１３】
すなわち、電磁石に通電する電流の電流値および通電方向（電流を流す向き）を変更することはできるが、ボビンに巻回された糸残り量が変化すると、制動トルクが一定であっても下糸の張力が変化（増大）するという問題点があった。
【００１４】
また、従来の下糸張力制御装置においては、制動トルクがボビンに作用して下糸に張力を付与するように構成されているが、ボビンに巻回されている下糸には、長さに比例して伸びるという伸縮特性があるため、ボビンに一定の制動トルクを付与しても、下糸が伸びたり、その伸びの程度が異なるので、ボビンを圧迫しても必ずしも希望する下糸の張力を得ることができないという問題点もあった。
【００１５】
さらに、ボビンに制動トルクを付与した状態で下糸を引き出すとき、ボビンに巻回されている下糸が締まってしまうので、以降の下糸の引出しにより大きな力が必要となる。すなわち、下糸が伸びて張力が加わった状態でボビンに斥力を作用させると、下糸に大きな力がかかるので、ボビンに巻回されている下糸が締まってしまう。その結果、それ以降の下糸の張力が増加するという問題点もあった。
【００１６】
また、ボビンとボビンケースとの間に永久磁石をスラスト方向に移動可能に設けているので、永久磁石の収納および移動に必要なスペースを確保するために、ボビンの軸方向の長さを短くしなければならず、ボビンに巻回する下糸の長さである糸巻き量が少なくなる。その結果、専用のボビンを必要とするとともに、ボビンの交換サイクルが短くなり、縫製物の生産性が低下するという問題点もあった。
【００１７】
さらにまた、ボビンと中釜の摩擦力による制動トルクで下糸の張力を制御しているため、長時間制御を繰り返すと、ボビンや中釜が発熱して温度が上昇するという問題点もあった。
【００１８】
また、ボビンと中釜の摩擦により摩耗粉が発生し、摩耗粉が下糸やボビンケースや永久磁石に付着し、縫製物にも摩耗粉が付着する危険性があるという問題点もあった。
【００１９】
本発明はこの点に鑑みてなされたものであり、下糸の張力を適正に制御することのできる下糸張力制御装置を提供することを目的とする。
【課題を解決するための手段】
【００２０】
前述した目的を達成するため、特許請求の範囲の請求項１に記載の本発明の下糸張力制御装置の特徴は、下糸を巻回するボビンが収容される有底筒状に形成されたボビンケースと、前記ボビンケースの周壁に設けられた糸孔を介して前記ボビンケースの外側に引き出される下糸を押圧して下糸に張力を付与する糸調子ばねと、前記糸調子ばねの糸押圧部から離れた固定部を前記ボビンケースの周壁に螺着させる固定ねじとを有する下糸張力制御装置において、前記糸調子ばねの糸押圧部を前記ボビンケースの外周面に押し付けるための磁性体により形成された可動な糸調子ばね押圧手段と、前記ボビンケースに設けられ、前記糸調子ばね押圧手段の可動範囲を制限するストッパと、前記ボビンケースの外側において前記糸調子ばね押圧手段と対向配置される電磁石とを有しており、前記電磁石の磁力により前記糸調子ばね押圧手段を駆動させて前記糸調子ばねの糸押圧部を前記ボビンケースの外周面に押し付けるとともに、前記電磁石に通電する電流値を変化させることにより、前記糸調子ばねの糸押圧部が下糸を押圧する力を制御するように形成されており、前記糸調子ばね押圧手段は、前記ボビンケースの周壁の一部を形成する周壁部分代替部と、前記ボビンケースの周壁に連なる底壁の一部を形成する底壁部分代替部とにより断面Ｌ字状をなすように磁性体により形成された押圧本体と、前記糸調子ばねの糸押圧部と固定部との中間部を介して前記押圧本体に螺着される調節ねじと、前記ボビンケースに両端が取り付けられ、前記押圧本体の屈曲部分が挿通される支持軸とを有しており、前記押圧本体は、前記支持軸を中心として可動に形成されている点にある。
【００２１】
そして、このような構成を採用したことにより、糸調子ばねの糸押圧部が下糸を押圧する力を制御することができるので、下糸の張力を容易かつ確実に制御することができる。その結果、下糸の張力を制動トルクで制御するのではなく、糸調子ばねが下糸を押圧する力で制御することができるので、ボビンに巻回されている下糸の糸残り量にかかわらず、安定した下糸の張力の可変制御を縫製中に行うことができる。また、電磁石に通電する電流値を変化させることにより、電磁石の磁力を容易かつ確実に変更することができる。その結果、下糸の張力を必要なときに、確実かつ容易に変更することができる。さらに、ボビンケースに、糸調子ばね押圧手段の可動範囲を制限するストッパが設けられているから、ボビンケースの内部に収容されているボビンおよび下糸に糸調子ばね押圧手段が接触するのを確実に防止することができる。さらにまた、ボビンケースの形状を、従来のボビンケースの形状と同一に形成することができる。
【００２３】
請求項２に記載の本発明の下糸張力制御装置の特徴は、請求項１において、前記電磁石が前記底壁部分代替部と対向配置されている点にある。そして、このような構成を採用したことにより、糸調子ばね押圧手段を容易かつ確実に可動させることができる
【００２４】
請求項３に記載の本発明の下糸張力制御装置の特徴は、請求項１において、前記調節ねじが前記押圧本体に装着され、前記電磁石の磁力により前記押圧本体が回動して、前記糸調子ばねの糸押圧部が下糸を押圧する力を制御する点にある。そして、このような構成を採用したことにより、糸調子ばねの糸押圧部が下糸を押圧する力をより確実かつ容易に調節することができる。
【発明の効果】
【００２５】
本発明に係る下糸張力制御装置によれば、電磁石の磁力により糸調子ばね押圧手段を駆動させて糸調子ばねの糸押圧部をボビンケースの外周面に押し付けるとともに、電磁石に通電する電流値を変化させることにより糸調子ばねの糸押圧部が下糸を押圧する力を制御するように形成されているから、糸調子ばね押圧手段は、電磁石に通電する電流値の変化により下糸の張力を容易かつ確実に制御することができるとともに、下糸の張力を制動トルクで制御するのではなく、糸調子ばねが下糸を押圧する力で制御することができるので、ボビンに巻回されている下糸の糸残り量にかかわらず、安定した下糸の張力の可変制御を縫製中に行うことができる。その結果、縫製中においても下糸の張力を適正に制御することができるなどの優れた効果を奏する。また、ボビンケースの形状を、従来のボビンケースの形状と同一に形成することができるなどの優れた効果を奏する。
【発明を実施するための最良の形態】
【００２６】
以下、本発明を図面に示す実施形態により説明する。
【００２７】
図１から図４は、本発明に係る下糸張力制御装置の実施形態を示すものであり、図１は要部の断面図、図２は図１の側面図、図３は図２のボビンケースの拡大図、図４は図３のＡ−Ａ線に沿った断面図、図５は図１の電磁石への通電状態を示す図４と同様の図である。
【００２８】
本実施形態の下糸張力制御装置１は、垂直全回転釜２（以下、単に、垂直釜と記す。）に配設されている。この垂直釜２は、周知の如く、水平に延在する回転軸心ＲＬを中心として回転駆動される外釜３と、この外釜３の内部に回転止めされた状態で保持される中釜４とを具備している。なお、中釜４は、ミシンフレームに取り付けられた中釜回り止め部材（ともに図示せず）により、外釜３が回転した際に、中釜４が外釜３の回転に従動するのを防止して、中釜４の回転の停止が行われている。
【００２９】
図１および図２に示すように、本実施形態の下糸張力制御装置１は、中釜４に装着されるボビンケース１１を有している。このボビンケース１１は、全体として有底筒状に形成されており、その内部には、下糸Ｔが巻回された図示しないボビンが回転可能かつ着脱可能に収容されている。なお、ボビンケース１１としては、磁性体であっても非磁性体であってもよいが、後述する押圧本体１７を磁力により効率よく駆動させることができるという意味で、樹脂、非鉄金属およびオーステナイト系ステンレス、セラミックスなどの非磁性体により形成するとよい。
【００３０】
前記ボビンケース１１は、その開口端が中釜４の外部に露出した釜底面に対向するように装着されており、ボビンケース１１の底部の外面が外部に露出するように配置されている。そして、ボビンケース１１の周壁１１ａには、糸孔１２と、この糸孔１２に連通するスリット状の糸通し溝１３とが設けられており、下糸Ｔの一端をボビンケース１１の開口端側に設けられた糸通し溝１３の糸通し溝口１３ａから滑り込ませることにより、糸孔１２を介して下糸Ｔがボビンケース１１の内側から外側、詳しくはボビンケース１１の外周面１１ｂに導出されるようになっている（図１）。
【００３１】
前記ボビンケース１１の外周面１１ｂには、糸調子ばね１４が配設されている。この糸調子ばね１４は、糸孔１２を介してボビンからボビンケース１１の外側に引き出される下糸Ｔを押圧して下糸Ｔに張力を付与するためのものであり、糸孔１２を覆うように配置される糸押圧部１４ａと、この糸押圧部１４ａから図１の下方に離れた固定部１４ｂとを有している。そして、糸調子ばね１４は、固定部１４ｂを介してボビンケース１１の周壁１１ａに螺着される固定ねじ１５によってボビンケース１１に着脱可能に取り付けられている。
【００３２】
図３および図４に示すように、本実施形態のボビンケース１１の周壁１１ａとこれに連なる底壁１１ｃとの接続部の一部には、ボビンケース１１の内外を連通する開口部１６が形成されている。この開口部１６は、ボビンケース１１の糸孔１２と固定ねじ１５の螺着部分との間で、かつ糸通し溝１３に干渉しない位置に形成されている。
【００３３】
前記開口部１６には、ボビンケース１１の一部を構成するように、磁性体、好ましくは強磁性体により形成された押圧本体１７が配設されている。この押圧本体１７は、ボビンケース１１の周壁１１ａの一部を形成する円弧状の周壁部分代替部１７ａと、ボビンケース１１の底壁１１ｃの一部を形成する平板状の底壁部分代替部１７ｂとを備えており、全体として断面ほぼＬ字状をなすように形成されている。
【００３４】
前記押圧本体１７の周壁部分代替部１７ａと底壁部分代替部１７ｂとの屈曲部分には、支持軸１８が挿通されている。この支持軸１８の両端は、ボビンケース１１の開口部１６の近傍に嵌め込まれて取り付けられており、押圧本体１７は、支持軸１８を中心として回動可能に形成されている。また、押圧本体１７の周壁部分代替部１７ａには、糸調子ばね１４の糸押圧部１４ａと固定部１４ｂとの間の中間部１４ｃを介して調節ねじ１９が螺着されている。なお、糸調子ばね１４、支持軸１８および調節ねじ１９は、磁性体でもオーステナイト系ステンレスなどの非磁性体でもどちらでもよい。
【００３５】
前記押圧本体１７、支持軸１８および調節ねじ１９により、本実施形態の糸調子ばね１４の糸押圧部１４ａをボビンケース１１の外周面１１ｂに押し付けるための磁性体により形成された可動な糸調子ばね押圧手段２０が構成されている。
【００３６】
前記開口部１６には、押圧本体１７が支持軸１８を中心として回動するときの回動範囲を制限するためのストッパ２１が形成されている。すなわち、ボビンケース１１には、糸調子ばね押圧手段２０の可動範囲を制限するためのストッパ２１が設けられている。このストッパ２１は、ボビンケース１１の底壁１１ｃの外面に形成された第１ストッパ２１ａと、ボビンケース１１の周壁１１ａの開口端により形成された第２ストッパ２１ｂとを具備している。そして、第１ストッパ２１ａは、押圧本体１７が支持軸１８を中心として図４の時計方向に回転したときの最大位置を拘束するようになっており、第２ストッパ２１ｂは、押圧本体１７が支持軸１８を中心として図４の反時計方向に回転したときの最大位置を拘束するようになっている。また、押圧本体１７は、図４に示すように、常時は糸調子ばね１４のばね力によって底壁部分代替部１７ｂが第１ストッパ２１ａに当接した状態を保持するように形成されている。
【００３７】
図１および図２に示すように、ボビンケース１１の底部には、ボビンケース１１が中釜４から離脱しないように保持させる周知のラッチ２４が設けられており、このラッチ２４には、中釜４に装着されたボビンケース１１を抜き取るときに、ラッチ２４によるボビンケース１１の保持状態を解除するためのラッチレバー２４ａが設けられている。
【００３８】
前記ボビンケース１１の外側には、電磁石２６が押圧本体１７の底壁部分代替部１７ｂと対向配置されている。この電磁石２６は、軟鉄などの磁性体により形成された鉄心２６ａと、絶縁した電線を密に巻いたコイル２６ｂとを備えて構成されている（図１）。そして、電磁石２６は、鉄心２６ａの長手方向が水平に延在するようにして、図示しないミシンフレームあるいはミシンフレームに取り付けられた支持ステーに支持されている。なお、図１には、電磁石２６の模式化した半断面図を示してある。
【００３９】
前記電磁石２６は、ＣＰＵおよびメモリなどを備えた制御部（図示せず）に電気的に接続されており、制御部から送出される制御指令に基づいて電磁石２６、すなわちコイル２６ｂへの通電状態および非通電状態の切り換えタイミング、通電時間、および通電時の電流値などが制御されるようになっている。そして、電磁石２６への通電により、電磁石２６と押圧本体１７の底壁部分代替部１７ｂとの間に吸引力Ｆが発生し、この吸引力Ｆにより押圧本体１７が支持軸１８を中心として図４の反時計方向に回転するように形成されている。この吸引力Ｆによる押圧本体１７の回転は、周壁部分代替部１７ａが第２ストッパ２１ｂに当接することにより最大位置が拘束される。この電磁石２６への通電により、押圧本体１７の周壁部分代替部１７ａが第２ストッパ２１ｂに当接した状態を吸引力Ｆの作用方向とともに図５に示す。また、電磁石２６への通電が停止されると、押圧本体１７は、糸調節ばね１４のばね力により、底壁部分代替部１７ｂが第１ストッパ２１ａに当接したもとの状態に復元するように形成されている。
【００４０】
なお、ボビンケース１１のその他の構成については、従来周知のものと同様に構成されているので、その詳しい説明については省略する。
【００４１】
つぎに、前述した構成からなる本実施形態の作用について説明する。
【００４２】
図４は本実施形態の下糸張力制御装置の電磁石に通電されていない非通電状態を示しており、図５は本実施形態の下糸張力制御装置の電磁石に通電されている通電状態を示している。
【００４３】
本実施形態の下糸張力制御装置１は、電磁石２６のコイル２６ｂに通電されていない非通電状態と、通電状態との２つの形態がある。
【００４４】
まず、本実施形態の下糸張力制御装置１における非通電状態について図４により説明する。
【００４５】
本実施形態の下糸張力制御装置１の非通電状態では、図４に示すように、押圧本体１７には糸調子ばね１４のばね力が作用して、底壁部分代替部１７ｂが第１ストッパ２１ａに当接した状態を保持している。このとき、糸調子ばね１４は、従来と同様に、その糸押圧部１４ａがボビンケース１１の糸孔１２を含む部位を押圧しており、糸孔１２を介してボビンから引き出される下糸Ｔに対して一定の初期張力を付与している。ここで、初期張力は、通常のボビンケースと同様に、調節ねじ１９の締め込み量に応じて増減できる。また、ボビンケース１１に押圧本体１７を設けること、および、押圧本体１７に調節ねじ１９を螺着させること以外は、通常のボビンケースの構成と同様とされているので、調節ねじ１９の締め込み量の設定には、通常の糸調子ばねを有するボビンケースで行われた下糸Ｔの張力の調節経験を活用することができる。
【００４６】
つぎに、本実施形態の下糸張力制御装置１における通電状態について図５により説明する。
【００４７】
本実施形態の下糸張力制御装置１の通電状態では、電磁石２６と押圧本体１７の底壁部分代替部１７ｂとの間に図５の太矢印にて示す吸引力Ｆが発生する。そして、吸引力Ｆが糸調子ばね１４のばね力を越えると、押圧本体１７は、支持軸１８を中心として図５の矢印にて示す反時計方向に回転し、糸調子ばね１４の中間部１４ｃをボビンケース１１の中心方向に押し込む。これにより、糸調子ばね１４が撓んで、糸押圧部１４ａが下糸Ｔを押圧する力が増加し、下糸Ｔの張力が増加する。
【００４８】
ここで、コイル２６ｂに通電する電流値を変化させることにより、電磁石２６の磁力を変更、すなわち、電磁石２６の磁力の強弱を変えることができる。したがって、コイル２６ｂに通電する電流値を変化させることにより、糸調子ばね１４の糸押圧部１４ａが下糸Ｔを押圧する力が変化するので、下糸Ｔの張力も変化する。
【００４９】
また、コイル２６ｂに通電する電流値を減少させたときには、電磁石２６と押圧本体１７の底壁部分代替部１７ｂとの間に発生する吸引力Ｆが減少し、糸調子ばね１４のばね力により下糸Ｔの張力も速やかに減少することになる。
【００５０】
したがって、縫製中であっても電磁石２６のコイル２６ｂに通電する電流値を増減することで、下糸Ｔの張力を増減することができる。この下糸Ｔの張力の増減は、縫製中に実行することもできる。そこで、縫製速度に対応した電流値を縫製データの１つとしてメモリに予め記憶させておくことで、縫製速度が変化する毎に、下糸Ｔの張力も変更することができる。その結果、縫製速度が変化する縫製動作であっても、縫製中に下糸Ｔの張力を制御することができるので、縫いむらが発生しない高い縫製品質を確保できる。
【００５１】
また、電磁石２６のコイル２６ｂに通電する電流値が大きくなり過ぎたときには、周壁部分代替部１７ａが第２ストッパ２１ｂに当接して、押圧本体１７の反時計方向への回転が阻止される。その結果、押圧本体１７の周壁部分代替部１７ａがボビンケース１１の内部に配置されているボビンに接触するのを防止できる。
【００５２】
さらに、押圧本体１７が、ボビンケース１１の一部を形成するように構成されているので、ボビンケース１１の外径サイズが大きくなることも、ボビンケース１１の内径サイズが小さくなることもない。その結果、通常のボビンを用いることができるので、ボビンに巻回する下糸Ｔの糸巻き量も通常と変わらないし、ボビンの交換頻度も変わらない。また、ミシンフレームに電磁石２６を取り付けるという簡便な構成で、本実施形態の下糸張力制御装置１を既存のミシンに用いることができる。
【００５３】
なお、電磁石２６のコイル２６ｂに対する通電を、振幅を減少させた交流電流とすることにより、ボビンケース１１および押圧本体１７が磁化して余分な吸引力Ｆが発生するのを防止することができる。
【００５４】
このように、本実施形態の下糸張力制御装置１によれば、糸調子ばね押圧手段２０と、ボビンケース１１の外側において糸調子ばね押圧手段２０と対向配置される電磁石２６を有しており、電磁石２６の磁力により糸調子ばね押圧手段２０を駆動させて糸調子ばね１４の糸押圧部１４ａをボビンケース１１の外周面１１ｂに押し付けるとともに、電磁石に通電する電流値を変化させること、すなわち、電磁石２６の磁力の強さにより糸調子ばね１４の糸押圧部１４ａが下糸Ｔを押圧する力を調節するように形成されているから、縫製中であっても下糸Ｔの張力を適正に、しかも容易かつ確実に制御することができる。
【００５５】
したがって、本実施形態の下糸張力制御装置１によれば、下糸Ｔの張力を前述した制動トルクで制御するのではなく、糸調子ばね１４が下糸Ｔを押圧する力で制御することができるので、ボビンに巻回されている下糸Ｔの糸残り量にかかわらず、安定した下糸Ｔの張力の可変制御を縫製中であっても行うことができる。その結果、下糸Ｔの張力を容易かつ確実に、しかも適正に制御することができる。
【００５６】
また、本実施形態の下糸張力制御装置１によれば、ボビンケース１１に、糸調子ばね押圧手段２０の可動範囲を制限するストッパ２１が設けられているから、ボビンケース１１の内部に収容されているボビンおよび下糸Ｔに糸調子ばね押圧手段２０が接触するのを確実に防止することができる。
【００５７】
さらに、本実施形態の下糸張力制御装置１によれば、この電磁石２６に通電する電流値を変化させることにより、磁力を変更するように形成されているから、磁力を容易かつ確実に変更することができる。その結果、下糸Ｔの張力を必要なときに、確実かつ容易に変更することができる。
【００５８】
さらにまた、本実施形態の下糸張力制御装置１によれば、糸調子ばね押圧手段２０が、ボビンケース１１の周壁１１ａの一部を形成する周壁部分代替部１７ａと、ボビンケース１１の周壁１１ａに連なる底壁１１ｃの一部を形成する底壁部分代替部１７ｂとにより断面Ｌ字状をなすように磁性体により形成された押圧本体１７と、糸調子ばね１４を介して押圧本体１７に螺着される調節ねじ１９と、ボビンケース１１に両端が取り付けられた支持軸１８とを有しているとともに、押圧本体１７が、支持軸１８を中心として可動に形成されているから、電磁石２６の磁力により糸調子ばね押圧手段２０を可動させることができるとともに、電磁石２６に通電する電流値の変化により糸調子ばね１４の糸押圧部１４ａが下糸Ｔを押圧する力を確実かつ容易に調節することができる。また、ボビンケース１１の形状を通常のボビンケースの形状と同一に形成することができるので、ボビンケース１１へのボビンの装着、ボビンケース１１の中釜４への取り付けおよび取り出し、ボビンケース１１への下糸Ｔの糸掛け、初期張力の設定などの作業を、通常のボビンケースと同様に行うことができる。
【００５９】
またさらに、本実施形態の下糸張力制御装置１によれば、電磁石２６が底壁部分代替部１７ｂと対向配置されているから、糸調子ばね押圧手段２０を容易かつ確実に可動させることができる。
【００６０】
さらにまた、本実施形態の下糸張力制御装置１によれば、調節ねじ１９が押圧本体１７に装着され、電磁石２６の磁力により押圧本体１７が回動して、糸調子ばね１４の糸押圧部１４ａが下糸Ｔを押圧する力を制御するように構成されているから、糸調子ばね１４の糸押圧部１４ａが下糸Ｔを押圧する力をより確実かつ容易に調節することができる。
【００６１】
なお、本実施形態の下糸張力制御装置１によれば、通常のボビンケースと比較して、構成部品点数の増加が少なく、構成部品の材料も安価なものとすることができるので、コストの大幅な増加を招くこともない。
【００６２】
また、本発明は、前述した実施形態に限定されるものではなく、必要に応じて種々の変更が可能である。
【図面の簡単な説明】
【００６３】
【図１】本発明に係る下糸張力制御装置の実施形態の要部を示す断面図
【図２】図１の側面図
【図３】図２のボビンケースの拡大図
【図４】図３のボビンケースの非通電状態におけるＡ−Ａ線に沿った要部の断面図
【図５】図３のボビンケースの通電状態における図４と同様の図
【符号の説明】
【００６４】
１  下糸張力制御装置
２  垂直釜
３  外釜
４  中釜
１１  ボビンケース
１１ａ  周壁
１１ｂ  外周面
１１ｃ  底壁
１２  糸孔
１４  糸調子ばね
１４ａ  糸押圧部
１４ｂ  固定部
１４ｃ  中間部
１５  固定ねじ
１７  押圧本体
１８  支持軸
１９  調節ねじ
２０  糸調子ばね押圧手段
２１  ストッパ
２１ａ  第１ストッパ
２１ｂ  第２ストッパ
２６  電磁石
Ｔ  下糸
Ｆ  吸引力
【図１】
0005197129.tif 000002
【図２】
0005197129.tif 000003
【図３】
0005197129.tif 000004
【図４】
0005197129.tif 000005
【図５】
0005197129.tif 000006